(57)【要約】  空気圧式材料移送システムにおいて整形機内に材料を給送する方法において、廃棄物材料等の材料は、少なくとも部分的に重力、及び少なくとも部分的に吸引、及び／又は圧力差の補助によって、フィーダーチャネル３において、整形機１内に、及び／又は整形機１を通って給送され、整形機１は回転整形機であり、材料は、回転整形機によって、より圧密になるように処理されて、前方に移送される。材料送込み方向において回転整形機１の前に、移動可能な阻止手段２１があり、阻止手段がフィーダーチャネル３内に延在し、阻止手段２１がフィーダーチャネル３内で材料ｗがもたらす力作用の少なくとも一部を受け止め、かつ、必要であれば、フィーダーチャネル３内の材料ｗの搬送が阻止手段２１によって制限される第１の位置を阻止手段は有し、また、阻止手段２１がフィーダーチャネル３内に延在しない第２の位置を阻止手段２１は有する。【選択図】図１
2015523939.tif 000002
【特許請求の範囲】
【請求項１】
廃棄物材料等の材料は、少なくとも部分的に重力、及び少なくとも部分的に吸引、及び／又は圧力差の補助によって、フィーダーチャネル（３）において、整形機（１）内に、及び／又はその整形機（１）を通って給送され、前記整形機（１）は、回転整形機であり、前記材料は、前記回転整形機によって、より圧密になるように処理されて、前方に移送され、材料送込み方向において前記回転整形機（１）の前に、移動可能な阻止手段（２１）があり、その阻止手段が前記フィーダーチャネル（３）内に延在し、前記阻止手段（２１）が前記フィーダーチャネル（３）内で前記材料（ｗ）がもたらす力作用の少なくとも一部を受け止め、かつ、必要であれば、前記フィーダーチャネル（３）内の前記材料（ｗ）の搬送が前記阻止手段（２１）によって制限される第１の位置を前記阻止手段（２１）は有し、また、前記阻止手段（２１）が前記フィーダーチャネル（３）内に延在しない第２の位置を前記阻止手段（２１）は有することを特徴とする、空気圧式材料移送システムにおいて整形機内へ材料を給送する方法。
【請求項２】
請求項１に記載の方法であって、前記阻止手段（２１）は駆動機構（２２）によって前記第１の位置と前記第２の位置との間で移動することを特徴とする方法。
【請求項３】
請求項１又は２に記載の方法であって、前記回転整形機の処理手段（１０Ａ、１０Ｃ）のうちの少なくとも幾つかは、駆動機構（７）によって第１の方向に回転すると、前記処理手段により処理される前記材料を給送し、その場合、前記阻止手段（２１）は前記フィーダーチャネル（３）内の前記第１の位置にあることを特徴とする方法。
【請求項４】
請求項１から３のいずれか一項に記載の方法であって、前記回転整形機（１）に給送される材料の量は前記阻止手段（２１）によって制限されることを特徴とする方法。
【請求項５】
請求項１から４のいずれか一項に記載の方法であって、回転可能な処理手段（１０Ａ、１０Ｃ）の回転方向は変化させることができ、その場合、前記処理手段（１０Ａ、１０Ｃ）のうちの少なくとも幾つかを第２の方向に回転させる際、前記阻止手段（２１）は、前記阻止手段（２１）が前記フィーダーチャネル（３）内に延在しない第２の位置にあることを特徴とする方法。
【請求項６】
請求項１から５のいずれか一項に記載の方法であって、前記阻止手段（２１）の横断表面積は材料送込み方向に前記フィーダーチャネル（３）の横断表面積の一部を覆うことを特徴とする方法。
【請求項７】
請求項１から６のいずれか一項に記載の方法であって、前記阻止手段（２１）は細長いロッド形状手段であることを特徴とする方法。
【請求項８】
請求項１から７のいずれか一項に記載の方法であって、前記空気圧式材料処理システムは、材料、より詳細には廃棄物材料用のパイプ搬送システムであることを特徴とする方法。
【請求項９】
請求項１から８のいずれか一項に記載の方法であって、前記回転可能な処理手段（１０Ａ、１０Ｃ）は連続して駆動され、その場合、前記処理手段（１０Ａ、１０Ｃ）は、第１の時間（ｔ１）にわたって第１の方向に回転し、その後、第２の時間（ｔ２）にわたって逆方向に回転し、その場合、前記回転可能な処理手段（１０Ａ、１０Ｃ）が前記第１の方向に回転する際、前記阻止手段（２１）は前記第１の位置にあり、前記回転可能な処理手段（１０Ａ、１０Ｃ）が前記第２の方向に回転する際、前記阻止手段（２１）は前記第２の位置にあることを特徴とする方法。
【請求項１０】
請求項１から９のいずれか１項に記載の方法であって、前記阻止手段（２１）は、圧力媒体作用式のシリンダーとピストンとの組合せである駆動機構（２２）によって移動し、前記阻止手段（２１）は前記駆動機構のピストン部（２３）とともに移動することを特徴とする方法。
【請求項１１】
材料を給送する装置であって、廃棄物材料等の材料を、少なくとも部分的に重力、及び少なくとも部分的に吸引、及び／又は圧力差の補助によって、整形機（１）内に、及び／又はその整形機（１）を通して給送するフィーダーチャネル（３）を備え、前記整形機（１）は回転整形機であり、前記材料は、前記回転整形機によって、より圧密になるように処理されて、前方に移送され、材料送込み方向において前記回転整形機（１）の前に、移動可能な阻止手段（２１）が配置され、その阻止手段が前記フィーダーチャネル（３）内に延在し、前記阻止手段（２１）が前記フィーダーチャネル（３）内で前記材料（ｗ）がもたらす力作用の少なくとも一部を受け止め、かつ、必要であれば、前記回転整形機（１）に向けての前記フィーダーチャネル（３）内の前記材料（ｗ）の搬送が前記阻止手段（２１）によって制限される第１の位置を前記阻止手段は有し、前記阻止手段（２１）が前記フィーダーチャネル（３）内に延在しない第２の位置を前記阻止手段（２１）は有し、前記装置は、第１の位置と第２の位置との間で前記阻止手段を移動させる、前記阻止手段用の駆動機構（２２）を備えることを特徴とする、空気圧式材料移送システムにおいて整形機内に材料を給送する装置。
【請求項１２】
請求項１１に記載の装置であって、前記阻止手段（２１）の横断表面積は前記材料送込み方向に前記フィーダーチャネル（３）の横断表面積の一部を覆うことを特徴とする装置。
【請求項１３】
請求項１１又は１２に記載の装置であって、前記阻止手段（２１）は細長いロッド形状手段であることを特徴とする装置。
【請求項１４】
請求項１１から１３のいずれか一項に記載の装置であって、前記阻止手段用の前記駆動機構（２２）は圧力媒体作用式のシリンダーとピストンとの組合せであり、前記阻止手段（２１）は前記駆動機構（２２）のピストン部（２３）とともに移動するように構成されていることを特徴とする装置。
【請求項１５】
請求項１１から１４のいずれか一項に記載の装置であって、前記回転整形機の処理手段（１０Ａ、１０Ｃ）のうちの少なくとも幾つかは、前記駆動機構（７）によって第１の方向に回転すると、前記処理手段により処理される前記材料（ｗ）を給送するように構成されて、その場合、前記阻止手段（２１）は前記フィーダーチャネル（３）内の前記第１の位置にあるように構成されていることを特徴とする装置。
【請求項１６】
請求項１１から１５のいずれか一項に記載の装置であって、前記阻止手段（２１）は、前記回転整形機（１）に給送されている最中の材料の量を制限するように構成されている前記第１の位置にあることを特徴とする装置。
【請求項１７】
請求項１１から１６のいずれか一項に記載の装置であって、回転可能な処理手段（１０Ａ、１０Ｃ）の回転方向は変更可能であるように構成されており、その場合、前記処理手段（１０Ａ、１０Ｃ）のうちの少なくとも幾つかを第２の方向に回転させる際、前記阻止手段（２１）は、前記阻止手段（２１）が前記フィーダーチャネル（３）内に延在しない第２の位置にあるように構成されていることを特徴とする装置。
【請求項１８】
請求項１１から１７のいずれか一項に記載の装置であって、前記回転整形機（１）の動作シーケンスに応じて第１の位置と第２の位置との間で前記阻止手段（２１）は移動可能であるように構成されていることを特徴とする装置。
【発明の詳細な説明】
【技術分野】
【０００１】
本発明は、概して、部分真空移送システム等の材料処理システムに関し、より詳細には、家庭廃棄物の移送等の廃棄物の収集と移送に関する。
【０００２】
本発明の目的は請求項１のプリアンブルに記載の方法である。
【０００３】
本発明の別の目的は請求項１１のプリアンブルに記載の装置である。
【背景技術】
【０００４】
圧力差又は吸引によってつくり出された空気流によって廃棄物が配管内で移送されるシステムは当該技術分野において知られている。これらのシステムにおいて、廃棄物は配管内の長距離を移送される。圧力差を達成するのに部分真空装置を使用することがこれらのシステムに一般的であり、上記装置では、真空ポンプ又はエジェクター装置等の部分真空発生器によって部分真空が移送パイプ内で達成される。移送パイプは通常、少なくとも１つの弁手段を備え、弁手段を開閉することによって、移送パイプ内に入る補充空気が調節される。これらのシステムでは、材料の投入端における投入点が用いられ、その投入点から廃棄物等の材料がシステム内に移送される。システムはごみシュートも備えることができ、ごみシュート内に廃棄物材料等の材料が給送され、ごみシュートから移送される材料が、排出弁手段を開くことによって移送パイプ内に移送され、その場合、移送パイプ内で作用する部分真空の補助によって達成される吸引作用によって、また、ごみシュートを介して作用する周囲空気圧によって、例えば袋に詰められた廃棄物材料等の材料がごみシュートから移送パイプ内に移送される。当該空気圧式廃棄物移送システムは、人口密度が高い市街エリアにおいて特に良好に利用することができる。これらのタイプのエリアには高い建物があり、空気圧式廃棄物移送システム内への廃棄物の投入は、建物内に配置されたごみシュート又は他の投入点を介して行われる。
【０００５】
ごみシュートは、好適には、ごみシュートの壁に互いから或る距離の所に通常配置される複数の投入点を備える鉛直パイプである。高い建物は数十階、更に数百階を有する場合があり、その場合、ごみシュートは非常に高いパイプを形成する。
【０００６】
廃棄物は、閉システム内で受取りステーションへ空気圧により移送され、その受取りステーションにおいて、搬送後に初めてプレス機によって圧縮される。空気圧式移送システムのパイプは通常の場合、直径がかなり大きく、例えば直径が約５００ｍｍである。
【０００７】
公開文献である特許文献１は、大量のバルク品、より詳細には家庭廃棄物を微粉砕し、圧縮し、排出する装置が開示されており、この装置によって、この装置を通して導かれる廃棄物材料をコンパクトにすることができる。この公開文献による解決策では、特にこの装置が材料を切断又は微粉砕するのに使用される状況において、大量の出力電力が必要とされることが一般的であり、この場合、駆動装置のエネルギー消費量及び駆動装置のコストが高い。加えて、切断ブレード間の石又は他の相当する材料の通過により、ブレードの破損を引き起こす可能性がある。公開文献である特許文献２、特許文献３、特許文献４及び特許文献５から、回転整形機が適用される解決策が知られている。回転整形機の、フィーダーチャネル又は投入シュート等の上側コンテナー内では、時として多くの廃棄物材料が山積みになっており、これがもたらす力作用により、回転整形機の処理手段が圧迫される。これにより、回転整形機の駆動機構によるかなりの駆動力が必要とされるか、又は、回転整形機の動作の速度が落ちる可能性もある。
【先行技術文献】
【特許文献】
【０００８】
【特許文献１】国際公開第８２０３２００号
【特許文献２】国際公開第２０１１０９８６６６号
【特許文献３】国際公開第２０１１０９８６６７号
【特許文献４】国際公開第２０１１０９８６６８号
【特許文献５】国際公開第２０１１０９８６６９号
【発明の概要】
【発明が解決しようとする課題】
【０００９】
本発明の目的は、廃棄物フィーダーチャネル及び回転整形機に関し、従来技術の解決策の欠点を回避するもっぱら新規のタイプの解決策を実現することである。
【課題を解決するための手段】
【００１０】
本発明は、阻止機構が、投入シュート又はごみシュート等のフィーダーチャネル内に回転整形機よりも或る距離だけ前の所にあり、阻止手段が、少なくとも２つの位置、すなわち、阻止手段がフィーダーチャネル内にあり、その場合、阻止手段が、材料送込み方向において阻止手段の前にある材料がもたらす力作用の少なくとも一部を受け止め、それによって、フィーダーチャネル内で材料が回転整形機にかける力作用が軽減する第１の位置と、阻止手段がフィーダーチャネル内に延在しない第２の位置との間で移動することができるという概念に基づく。
【００１１】
本発明による方法は主として、請求項１の特徴部に記載されているものによって特徴付けられる。
【００１２】
また、本発明による方法は、請求項２から１０に記載されているものによって特徴付けられる。
【００１３】
本発明による装置は主として、請求項１１の特徴部に記載されているものによって特徴付けられる。
【００１４】
また、本発明による装置は、請求項１２から１８に記載されているものによって特徴付けられる。
【００１５】
本発明による解決策は多数の重要な利点を有する。本発明によって、材料の処理に関する、より詳細には材料の空気圧式パイプ搬送に関する特に効率的な解決策が達成される。本発明による解決策を用いて、処理される材料の送込みを、回転整形機の前のフィーダーチャネル内で調整することができる。この場合、阻止手段により、回転整形機で処理される材料がもたらす重量作用、より詳細には、その処理手段に作用する負荷を阻止するか又は少なくとも減らすことができる。この場合、回転整形機の動力要件はより低い。加えて、目詰まりやすさが低減する。阻止手段により、フィーダーチャネル内での材料の送込みも促進することができる。１つの使用方法によれば、回転整形機の回転処理手段が第１の方向に回転する際、阻止手段はフィーダーチャネル内にあり、回転整形機の処理手段が第２の方向に回転する際、阻止手段はフィーダーチャネル内にない。これは、大量の廃棄物及び重い廃棄物袋に特に有効な解決策である。本発明による解決策を用いて、廃棄物材料を回転整形機に効率的に給送するとともに回転整形機によってコンパクトにすることができ、整形されない廃棄物材料に用いるパイプサイズに比べて著しく小さいパイプサイズを用いて効率的な搬送を達成することができる。処理される材料を回転整形機から搬送パイプ内に移送するために、重力に加え、吸引を用いることによって、回転整形機とパイプ搬送との組合せに関する有利な解決策が達成される。
【００１６】
以下、本発明を、添付の図面を参照しながら一実施形態によってより詳細に説明する。
【図面の簡単な説明】
【００１７】
【図１】本発明による装置の一実施形態を種々の動作モードのうちの１つで簡略図として示す図である。
【図２】本発明による装置の一実施形態を種々の動作モードのうちの１つで簡略図として示す図である。
【図３】本発明による装置の一実施形態を種々の動作モードのうちの１つで簡略図として示す図である。
【図４】本発明による装置の一実施形態を種々の動作モードのうちの１つで簡略図として示す図である。
【図５】本発明による装置の一実施形態を種々の動作モードのうちの１つで簡略図として示す図である。
【図６】本発明による装置の一実施形態を種々の動作モードのうちの１つで簡略図として示す図である。
【図７】本発明による装置の一実施形態を種々の動作モードのうちの１つで簡略図として示す図である。
【図８】本発明による装置の一実施形態を種々の動作モードのうちの１つで簡略図として示す図である。
【発明を実施するための形態】
【００１８】
図１から図８は、本発明による解決策の１つの実施形態を簡略図として示し、この実施形態では、回転整形機１が、これらの図では円錐形である嵌合部２とともに、フィーダーシュート、ごみシュート等のようなフィーダーチャネルと関連して配置されている。フィーダーチャネルは例えば管状部であり、その壁３１の内側に、材料のためのスペースがある。家庭廃棄物、廃紙、段ボール又は他の廃棄物等の材料ｗが、例えば、投入口１７からフィーダーチャネル３内に、また、そこから進んで継手部２を介して回転整形機１内に給送される。図の状態では開いている開閉可能なハッチ１８が、図１の投入口と関連している。処理される材料ｗは、回転整形機内で整形されてコンパクトにされ、処理後、排出継手４を介して、例えば空気圧式パイプ搬送システムの駆動機構（不図示）がつくり出す吸引及び／又は圧力差によって、移送配管５に導かれる。本発明のこの実施形態の１つの利点は、廃棄物材料が搬送配管４、５内での移送に適合する、適した形状にされることである。この場合、直径が著しく小さい移送配管５を用いることができる。１つの実施形態によれば、例えば、約１５０ｍｍから３００ｍｍ、好適には約２００ｍｍの直径を有するパイプを移送パイプ５として用いることができる。本発明のこの実施形態では、同時吸引を用いることができ、その場合、処理される材料は、回転整形機１の処理手段１０Ａ、１０Ｂ、１０Ｃを通して材料を導く際に、移送パイプ５及び排出継手４を介して作用する吸引又は圧力差によって作用を受けることができる。処理手段１０Ａ、１０Ｂ、１０Ｃはリング形状であり、これらの処理手段のそれぞれは、処理手段の第１の側、すなわち投入側から、排出側にかけて開口を有する。処理手段のうちの少なくとも幾つかは、図の実施形態では、駆動機構７によって鉛直軸回りに回転する。図では、最も上の回転可能な処理手段１０Ａ及び最も下の回転可能な処理手段１０Ｃが回転し、処理手段１０Ａと処理手段Ｃとの間に、非回転静止処理手段１０Ｂがある。回転整形機１の下には、排出継手４における弁手段５５がある。弁手段５５は、回転整形機１と移送パイプ５との接続を開閉し、したがって、弁手段５５により、移送パイプ５から回転整形機１にかけての、空気圧式廃棄物搬送システムの部分真空発生器がつくり出す吸引作用が調整される。
【００１９】
補充空気継手５６が移送パイプ５に接続される。補充空気継手５６は弁手段５８を有する。補充空気継手５６は濾過手段５９を有する。補充空気継手は絞り手段５７を有する。補充空気継手５６は、移送パイプ５内に材料の移送方向において弁手段５５の後に配置される。
【００２０】
図１では、材料ｗが、投入口１７から投入シュート３等のフィーダーチャネル内に給送されている。図１では、非常に多くの材料ｗが投入シュート３内に給送されており、投入シュート３はほぼ満杯である。材料ｗは、図では球形で表されているが、例えば袋に詰められた家庭廃棄物材料等の、多くのタイプ及び形状の材料とすることができる。
【００２１】
本発明による一実施形態によれば、阻止機構２０が、投入シュート３又はフィーダーチャネル内に材料ｗの送込み方向において回転整形機１の前に配置される。阻止機構は、阻止手段２１及びその駆動機構２２を備える。阻止手段２１は、少なくとも２つの位置、すなわち、投入シュート３の壁３１の縁、又は投入シュートに向かう対応するフィーダーチャネルの縁から、その材料の移動方向に対して横断方向に、好適には本質的に投入シュート３を横切って、阻止機構が或る距離だけ延在する第１の位置（図２）と、阻止手段２１が投入シュート３内に延在しない第２の位置（図１）との間で移動することができる。
【００２２】
第１の位置、すなわち作用位置では、阻止手段２１は、投入シュート３内に、又は材料送込み方向において投入シュート３の前の対応するフィーダーチャネル内に収集された材料ｗがもたらす力作用の少なくとも一部を受け止め、及び／又は、材料の一部の回転整形機への進入を阻止する。この場合、フィーダーチャネル３内にあるとともに回転整形機の処理手段１０Ａ、１０Ｂ、１０Ｃにおいて処理されることを意図した材料が加える負荷は減少する。他方で、阻止手段は、第１の位置にくると、フィーダーチャネル３内にあるとともに阻止手段２１と回転整形機１との間にある材料がフィーダーチャネル内の阻止手段を越えて上昇することも阻止することができる。
【００２３】
１つの実施形態によれば、阻止手段２１は、細長いロッド形状手段であることを特徴とする。
【００２４】
１つの実施形態によれば、阻止機構２０の駆動機構２２はピストンとシリンダーとの組合せである。阻止手段２１は、駆動機構２２のピストン２３のピストンロッドに配置されるか、又は、駆動機構２２のピストンロッドから少なくとも部分的に形成される。
【００２５】
１つの実施形態によれば、阻止手段２１は、何らかの他の形状、例えばプレート形状を有することができる。
【００２６】
図２の状態では、弁手段５５が開いており、移送パイプ５の吸引作用が、回転整形機に及び、回転整形機を通じて、処理される材料に及ぶ。処理された材料は、回転整形機の処理手段を通って移送パイプ５内に移り、更に進んで材料用の空気圧式パイプ搬送システム内に移る。
【００２７】
図３の状態では、阻止手段と回転整形機との間にある材料が処理されて移送パイプ５内に移送されている。阻止手段２１は、フィーダーチャネル内の材料ｗを下から支えることで、材料が回転整形機に入りこむことを阻止する。
【００２８】
図４では、移送パイプの弁５５が閉じているとともに阻止手段が駆動機構２２により第２の位置に移動させられており、その場合、フィーダーチャネル内の材料は、重力作用下で下方に落ちて回転整形機内に入ることが可能になる。この図では、回転整形機の駆動機構７の傍にある矢印の方向（図４における時計回り）によって示される第２の方向に回転整形機は駆動されている最中である。
【００２９】
回転整形機１は、１つの実施形態によれば、或る特定の持続時間ｔ１を有し、その時間範囲にわたって処理手段１０Ａ、１０Ｃが第１の方向に駆動機構７によって回転し、その後、回転方向が変わる、シーケンスで駆動されることが好ましい。この後、処理手段１０Ａ、１０Ｃは、第２の時間ｔ２にわたって逆方向に回転する。第１の方向が、整形機の真の処理方向である。第２の方向は、その方向において、処理手段の考えられ得るブレード部が材料を切断するように構成されている、方向である。第２の回転方向の回転持続時間ｔ２は通常、第１の回転方向の持続時間ｔ１よりも短い。１つの実施形態によれば、式は、以下の通りであることが好ましい：ｔ２＝０．５×ｔ１。
【００３０】
通常、第１の処理方向の回転持続時間ｔ１は約１０秒であり、逆の回転方向の持続時間ｔ２は５秒である。
【００３１】
処理手段１０Ａ、１０Ｃが処理方向に対して逆方向（例えば図４における）に回転する場合、補充空気継手５６の補充空気弁５８が開位置に維持され、その場合、材料は、少なくとも回転整形機の影響エリア又はその近くから移送配管５内に移送される。この場合、阻止手段２１は第２の位置にある、すなわち、フィーダーチャネル３の外にある。
【００３２】
リング形状の処理手段１０Ａ、１０Ｂ、１０Ｃ又はそれらのうちの少なくとも幾つか、及び、それらの開口の内面は、処理手段の同時回転運動により材料が開口から排出端及び排出継手４及び移送パイプ５に向けて前方に給送されるような形状にパターン化及び／又は構成される。通常、少なくとも回転処理手段１０Ａ、１０Ｃは、材料を排出端及び排出継手４及び移送パイプ５に向けて移送するように構成される。
【００３３】
図５では、新たなシーケンスが開始され、これは図２の状態に相当する。図６は図３の状態を示し、図７は図４の状態を示す。図８の状態は、図２の状態に相当する。処理される材料ｗの量は、図２から図８の処理段階に応じてフィーダーチャネル３内で減少する。
【００３４】
したがって、回転整形機は或る点では材料を再配置及びコンパクトにするものとして（すなわち整えるものとして）機能する。吸引作用下で、回転整形機の処理手段１０Ａ、１０Ｃは、処理される材料をその材料が排出口に適合するとともにそこから前方の移送パイプ５に適合するように整形する。
【００３５】
処理手段１０Ａ、１０Ｃの回転方向は変化させることができる。生じる負荷が大きすぎる場合、処理手段は停止し、回転方向が変わる。回転可能な処理手段のうちの１つにとって大きすぎるほど荷重が増大すると、その処理手段の回転方向が変わる。
【００３６】
従来技術の回転プレス機の一般動作は、例えば公開文献である特許文献１、特許文献２、特許文献３、特許文献４及び特許文献５に示されており、本明細書ではより詳細に説明しない。
【００３７】
したがって、本発明は、空気圧式材料移送システムにおいて整形機内へ材料を給送する方法に関し、本方法において、廃棄物材料等の材料は、少なくとも部分的に重力、及び少なくとも部分的に吸引、及び／又は圧力差の補助によって、フィーダーチャネル３において、整形機１内に、及び／又は整形機１を通って給送され、整形機１は回転整形機であり、材料は、回転整形機によって、より圧密になるように処理されて、前方に移送される。材料送込み方向において回転整形機１の前に、移動可能な阻止手段２１があり、阻止手段がフィーダーチャネル３内に延在し、阻止手段２１がフィーダーチャネル３内で材料ｗがもたらす力作用の少なくとも一部を受け止め、かつ、必要であれば、フィーダーチャネル３内の材料ｗの搬送が阻止手段２１によって制限される第１の位置を阻止手段２１は有し、また、阻止手段２１がフィーダーチャネル３内に延在しない第２の位置を阻止手段２１は有する。
【００３８】
１つの実施形態によれば、阻止手段２１は駆動機構２２によって第１の位置と第２の位置との間で移動する。
【００３９】
１つの実施形態によれば、回転整形機の処理手段１０Ａ、１０Ｃのうちの少なくとも幾つかは、駆動機構７によって第１の方向に回転すると、処理手段により処理される材料を給送し、その場合、阻止手段２１はフィーダーチャネル３内の第１の位置にある。
【００４０】
１つの実施形態によれば、回転整形機１に給送される材料の量は阻止手段２１によって制限される。
【００４１】
１つの実施形態によれば、回転可能な処理手段１０Ａ、１０Ｃの回転方向は変化させることができ、その場合、処理手段１０Ａ、１０Ｃのうちの少なくとも幾つかを第２の方向に回転させる際、阻止手段２１は、阻止手段２１がフィーダーチャネル３内に延在しない第２の位置にある。
【００４２】
１つの実施形態によれば、阻止手段２１の横断表面積は材料送込み方向にフィーダーチャネル３の横断表面積の一部を覆う。
【００４３】
１つの実施形態によれば、阻止手段２１は細長いロッド形状手段である。
【００４４】
１つの実施形態によれば、空気圧式材料搬送システムは、材料、より詳細には廃棄物材料用のパイプ搬送システムである。
【００４５】
１つの実施形態によれば、回転可能な処理手段１０Ａ、１０Ｃは連続して駆動され、その場合、処理手段１０Ａ、１０Ｃは、第１の時間量ｔ１にわたって第１の方向に回転し、その後、第２の時間ｔ２にわたって逆方向に回転し、その場合、回転可能な処理手段１０Ａ、１０Ｃが第１の方向に回転する際、阻止手段２１は第１の位置にあり、回転可能な処理手段１０Ａ、１０Ｃが第２の方向に回転する際、阻止手段２１は第２の位置にある。
【００４６】
１つの実施形態によれば、阻止手段は、圧力媒体作用式のシリンダーとピストンとの組合せである駆動機構２２によって移動され、駆動機構のピストン部２３とともに移動する。
【００４７】
本発明は、更に空気圧式材料移送システムにおいて整形機内に材料を給送する装置に関し、本装置は、廃棄物材料等の材料を、少なくとも部分的に重力、及び少なくとも部分的に吸引、及び／又は圧力差の補助によって、整形機１内に、及び／又は整形機１を通して給送するフィーダーチャネル３を備え、整形機１は回転整形機であり、材料は、回転整形機によって、より圧密になるように処理されて、前方に移送される。材料送込み方向において回転整形機１の前に、移動可能な阻止手段２１が配置され、阻止手段がフィーダーチャネル３内に延在し、阻止手段２１がフィーダーチャネル３内で材料ｗがもたらす力作用の少なくとも一部を受け止め、かつ、必要であれば、回転整形機１に向けてのフィーダーチャネル３内の材料ｗの搬送が阻止手段２１によって制限される第１の位置を阻止手段は有し、阻止手段２１がフィーダーチャネル３内に延在しない第２の位置を阻止手段２１は有し、装置は、第１の位置と第２の位置との間で阻止手段を移動させる、阻止手段用の駆動機構２２を備える。
【００４８】
１つの実施形態によれば、阻止手段２１の横断表面積は材料送込み方向にフィーダーチャネル３の横断表面積の一部を覆う。
【００４９】
１つの実施形態によれば、阻止手段２１は細長いロッド形状手段である。
【００５０】
１つの実施形態によれば、阻止手段の駆動機構２２は圧力媒体作用式のシリンダーとピストンとの組合せであり、阻止手段２１は駆動機構２２のピストン部２３とともに移動するように構成されている。
【００５１】
１つの実施形態によれば、回転整形機の処理手段１０Ａ、１０Ｃのうちの少なくとも幾つかは、駆動機構７によって第１の方向に回転すると、処理手段により処理される材料ｗを給送するように構成されており、その場合、阻止手段２１はフィーダーチャネル３内の第１の位置にあるように構成されている。
【００５２】
１つの実施形態によれば、阻止手段２１は回転整形機１に給送されている最中の材料の量を制限するように構成されている第１の位置にある。
【００５３】
１つの実施形態によれば、回転可能な処理手段１０Ａ、１０Ｃの回転方向は変更可能であるように構成されており、その場合、処理手段１０Ａ、１０Ｃのうちの少なくとも幾つかを第２の方向に回転させる際、阻止手段２１は、阻止手段２１がフィーダーチャネル３内に延在しない第２の位置にあるように構成されている。
【００５４】
１つの実施形態によれば、回転整形機１の動作シーケンスに応じて第１の位置と第２の位置との間で阻止手段２１は移動可能であるように構成されている。
【００５５】
通常、材料は、袋に分類された廃棄物材料等の廃棄物材料である。ごみシュートは、空気圧式廃棄物移送システムの一部であるように構成することができるか、又は、別個の部品とすることができ、廃棄物材料が廃棄室、廃棄タンク等の中に導かれる。
【００５６】
本発明は上記に示した実施形態に限定されず、本発明は添付の特許請求の範囲の範囲内で変更することができることは、当業者には明らかである。上記記載において他の特徴と関連して示された可能性のある特徴は、必要な場合、互いと別々に用いることができる。
【図１】
2015523939.tif 000003
【図２】
2015523939.tif 000004
【図３】
2015523939.tif 000005
【図４】
2015523939.tif 000006
【図５】
2015523939.tif 000007
【図６】
2015523939.tif 000008
【図７】
2015523939.tif 000009
【図８】
2015523939.tif 000010
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
廃棄物材料等の材料が、少なくとも部分的に重力、及び少なくとも部分的に吸引、及び／又は圧力差の補助によって、フィーダーチャネル（３）において、整形機（１）内に、及び／又はその整形機（１）を通って給送される、空気圧式材料移送システムにおいて整形機内へ材料を給送する方法であって、その方法において、前記材料（ｗ）は、回転整形機である前記整形機（１）によって、より圧密になるように処理され、必要であれば、前記フィーダーチャネル（３）内の前記材料（ｗ）の搬送は、材料送込み方向において前記回転整形機（１）の前の移動可能な阻止手段（２１）によって制限され、その阻止手段が前記フィーダーチャネル（３）内に延在し、前記阻止手段（２１）が前記フィーダーチャネル（３）内で前記材料（ｗ）がもたらす力作用の少なくとも一部を受け止める第１の位置を前記阻止手段（２１）は有し、また、前記阻止手段（２１）が前記フィーダーチャネル（３）内に延在しない第２の位置を前記阻止手段（２１）は有することを特徴とする方法。
【請求項２】
請求項１に記載の方法であって、前記阻止手段（２１）は駆動機構（２２）によって前記第１の位置と前記第２の位置との間で移動することを特徴とする方法。
【請求項３】
請求項１又は２に記載の方法であって、前記回転整形機の処理手段（１０Ａ、１０Ｃ）のうちの少なくとも幾つかは、駆動機構（７）によって第１の方向に回転すると、前記処理手段により処理される前記材料を給送し、その場合、前記阻止手段（２１）は前記フィーダーチャネル（３）内の前記第１の位置にあることを特徴とする方法。
【請求項４】
請求項１から３のいずれか一項に記載の方法であって、前記回転整形機（１）に給送される材料の量は前記阻止手段（２１）によって制限されることを特徴とする方法。
【請求項５】
請求項１から４のいずれか一項に記載の方法であって、回転可能な処理手段（１０Ａ、１０Ｃ）の回転方向は変化させることができ、その場合、前記処理手段（１０Ａ、１０Ｃ）のうちの少なくとも幾つかを第２の方向に回転させる際、前記阻止手段（２１）は、前記阻止手段（２１）が前記フィーダーチャネル（３）内に延在しない第２の位置にあることを特徴とする方法。
【請求項６】
請求項１から５のいずれか一項に記載の方法であって、前記阻止手段（２１）の横断表面積は材料送込み方向に前記フィーダーチャネル（３）の横断表面積の一部を覆うことを特徴とする方法。
【請求項７】
請求項１から６のいずれか一項に記載の方法であって、前記阻止手段（２１）は細長いロッド形状手段であることを特徴とする方法。
【請求項８】
請求項１から７のいずれか一項に記載の方法であって、前記空気圧式材料処理システムは、材料、より詳細には廃棄物材料用のパイプ搬送システムであることを特徴とする方法。
【請求項９】
請求項１から８のいずれか一項に記載の方法であって、前記回転可能な処理手段（１０Ａ、１０Ｃ）は連続して駆動され、その場合、前記処理手段（１０Ａ、１０Ｃ）は、第１の時間（ｔ１）にわたって第１の方向に回転し、その後、第２の時間（ｔ２）にわたって逆方向に回転し、その場合、前記回転可能な処理手段（１０Ａ、１０Ｃ）が前記第１の方向に回転する際、前記阻止手段（２１）は前記第１の位置にあり、前記回転可能な処理手段（１０Ａ、１０Ｃ）が前記第２の方向に回転する際、前記阻止手段（２１）は前記第２の位置にあることを特徴とする方法。
【請求項１０】
請求項１から９のいずれか１項に記載の方法であって、前記阻止手段（２１）は、圧力媒体作用式のシリンダーとピストンとの組合せである駆動機構（２２）によって移動し、前記阻止手段（２１）は前記駆動機構のピストン部（２３）とともに移動することを特徴とする方法。
【請求項１１】
廃棄物材料等の材料を、少なくとも部分的に重力、及び少なくとも部分的に吸引、及び／又は圧力差の補助によって、整形機（１）内に、及び／又はその整形機（１）を通して給送するフィーダーチャネル（３）を備える、空気圧式材料移送システムにおいて整形機内に材料を給送する装置であって、その装置は、前記整形機（１）が回転整形機であることと、前記材料がより圧密になるように処理されることとの組合せと、材料送込み方向において前記回転整形機（１）の前に配置された移動可能な阻止手段（２１）とを備え、その阻止手段（２１）が前記フィーダーチャネル（３）内に延在し、前記阻止手段（２１）が前記フィーダーチャネル（３）内で前記材料（ｗ）がもたらす力作用の少なくとも一部を受け止め、かつ、必要であれば、前記回転整形機（１）に向けての前記フィーダーチャネル（３）内の前記材料（ｗ）の搬送が前記阻止手段（２１）によって制限される第１の位置を前記阻止手段（２１）は有し、前記阻止手段（２１）が前記フィーダーチャネル（３）内に延在しない第２の位置を前記阻止手段（２１）は有し、前記装置は、第１の位置と第２の位置との間で前記阻止手段を移動させる、前記阻止手段用の駆動機構（２２）を備えることを特徴とする装置。
【請求項１２】
請求項１１に記載の装置であって、前記阻止手段（２１）の横断表面積は前記材料送込み方向に前記フィーダーチャネル（３）の横断表面積の一部を覆うことを特徴とする装置。
【請求項１３】
請求項１１又は１２に記載の装置であって、前記阻止手段（２１）は細長いロッド形状手段であることを特徴とする装置。
【請求項１４】
請求項１１から１３のいずれか一項に記載の装置であって、前記阻止手段用の前記駆動機構（２２）は圧力媒体作用式のシリンダーとピストンとの組合せであり、前記阻止手段（２１）は前記駆動機構（２２）のピストン部（２３）とともに移動するように構成されていることを特徴とする装置。
【請求項１５】
請求項１１から１４のいずれか一項に記載の装置であって、前記回転整形機の処理手段（１０Ａ、１０Ｃ）のうちの少なくとも幾つかは、前記駆動機構（７）によって第１の方向に回転すると、前記処理手段により処理される前記材料（ｗ）を給送するように構成されて、その場合、前記阻止手段（２１）は前記フィーダーチャネル（３）内の前記第１の位置にあるように構成されていることを特徴とする装置。
【請求項１６】
請求項１１から１５のいずれか一項に記載の装置であって、前記阻止手段（２１）は、前記回転整形機（１）に給送されている最中の材料の量を制限するように構成されている前記第１の位置にあることを特徴とする装置。
【請求項１７】
請求項１１から１６のいずれか一項に記載の装置であって、回転可能な処理手段（１０Ａ、１０Ｃ）の回転方向は変更可能であるように構成されており、その場合、前記処理手段（１０Ａ、１０Ｃ）のうちの少なくとも幾つかを第２の方向に回転させる際、前記阻止手段（２１）は、前記阻止手段（２１）が前記フィーダーチャネル（３）内に延在しない第２の位置にあるように構成されていることを特徴とする装置。
【請求項１８】
請求項１１から１７のいずれか一項に記載の装置であって、前記回転整形機（１）の動作シーケンスに応じて第１の位置と第２の位置との間で前記阻止手段（２１）は移動可能であるように構成されていることを特徴とする装置。
【国際調査報告】
2015523939.tif 000011
2015523939.tif 000012
2015523939.tif 000013
2015523939.tif 000014